(57)【特許請求の範囲】
【請求項１】
洗濯兼脱水槽を回転させる中空の脱水軸と、前記脱水軸を軸支する脱水上部軸受と脱水下部軸受と、前記脱水軸と略同軸上に配設されるとともに前記洗濯兼脱水槽内に配設した撹拌翼を回転させる洗濯軸と、前記脱水軸と洗濯軸を回転させる駆動モータと、前記駆動モータを保持する保持部材と、上部に上部突起部を有し上下の滑動により前記駆動モータの回転の伝達を脱水軸、洗濯軸のいずれかに切り換えるスライド部材と、前記脱水上部軸受と前記脱水下部軸受とを内包するケースとを備え、前記ケースへの取り付け部を設けた金属部材を内包するように前記スライド部材の上部突起部に係合する固定側突起部を樹脂成形した固定側係合部材を設け、前記固定側係合部材は前記金属部材にて前記保持部材を介して前記ケースに取り付ける構成とした洗濯機。
【請求項２】
固定側係合部材の下部には第１の略円筒状リブを設け、固定側突起部は前記第１の略円筒状リブから外方向に放射状に延設し、スライド部材には上部突起部が前記放射状の固定側突起部に係合するように放射状に設けられ、前記放射状の上部突起部の外周には前記放射状の上部突起部に一体に第２の略円筒状リブを設けた請求項１に記載の洗濯機。
【請求項３】
回転によりスライド部材を上下に滑動させるクラッチレバーと、前記クラッチレバーを回転動作させるレバー駆動手段とを備え、固定側係合部材には、前記クラッチレバーの軸部を回転自在に支持する回転保持部が一体に設けられた請求項１または２に記載の洗濯機。
【発明の詳細な説明】
【０００１】
【発明の属する技術分野】
本発明は、衣類の洗い、すすぎ、脱水等を行う洗濯機に関するものである。
【０００２】
【従来の技術】
従来、この種の洗濯機は、図７に示すようになっていた。以下、その構成について説明する。
【０００３】
図７に示すように、洗濯機本体１は、内部に脱水振動を防振するように、サスペンション２によって懸架された水受け槽３を設け、水受け槽３内に洗濯兼脱水槽４を回転自在に配設し、この洗濯兼脱水槽４の内底部に洗濯物を撹拌する撹拌翼５を回転自在に配設している。洗濯兼脱水槽４は、水受け槽３の底部に設けた軸受６によって軸支されている脱水軸７と略同軸上となるように配設し、脱水軸７の上端部に固定され、撹拌翼５は、脱水軸７の中空部に脱水軸７と略同軸上となるように配設し脱水軸７の中空部内に設けた軸受８によって軸支した洗濯軸９の上端部に固定されている。また、洗濯軸９の下端部は減速機構１０の出力側に接続されている。また、下端部が駆動モータ１１のロータ１２につながる入力軸１３の上端部は減速機構１０の入力側に接続されている。
【０００４】
以下に、駆動モータ１１の回転の伝達を脱水軸７、入力軸１３のいずれかに切り換えるクラッチ機構について説明する。脱水軸７の下部にはその外周部にスプライン等の形状を有するスライド部１４を設けている。スライド部１４には、そのスプライン等の形状に対応した内周形状を有するスライド部材１５を設けている。駆動モータ１１の回転が脱水軸７への伝達時、すなわち洗濯兼脱水槽４回転時は、スライド部材１５を付勢バネ１６により下に押しつけ、スライド部材１５の下部に設けた下部突起部１５ａをロータ１２に設けたロータ突起部１２ａに係合させて、ロータ１２の回転を脱水軸７に伝達している。また、駆動モータ１１の回転が入力軸１３への伝達時、すなわち撹拌翼５回転時は、ギアードモータ又はソレノイドなどのレバー駆動手段１７によりスライド部材１５に係合するクラッチレバー１８を上方に移動させることで、スライド部材１５を上方に移動させ、スライド部材１５の下部突起部１５ａをロータ１２のロータ突起部１２ａから外すことでロータ１２の回転を脱水軸７に非伝達とし、入力軸１３のみに伝達している。入力軸１３に伝達された回転は、減速機構１０、洗濯軸９を介して撹拌翼５に伝達され、撹拌翼５を回転させる構成としている。同時にスライド部材１５の上部に設けた上部突起部１５ｂと駆動モータ１１のハウジング部１９に設けた固定側突起部１９ａを係合させることで、洗濯兼脱水槽４を固定し、撹拌翼５の回転の際、水流により発生する洗濯兼脱水槽４の共回りを防止している。
【０００５】
【発明が解決しようとする課題】
このような従来の構成では、駆動モータ１１の回転の伝達を脱水軸７から入力軸１３へ切り換える際、スライド部材１５の上部に設けた上部突起部１５ｂがロータ１２のロータ突起部１２ａにかみ合う時の衝突音や、脱水回転開始時や電磁ブレーキ時に下部突起部１５ａの側面１５ｄとロータ突起部１２ａの側面１２ｄが当接する衝突音等の異常音が発生するという問題を有していた。
【０００６】
本発明は上記従来の課題を解決するもので、洗濯への切り換え時や、洗濯運転時の衝突音等の異常音を減少させ低騒音化を実現することを目的としている。
【０００７】
【課題を解決するための手段】
上記従来の課題を解決するために、本発明の洗濯機は、上部に上部突起部を有し上下の滑動により駆動モータの回転の伝達を脱水軸、洗濯軸のいずれかに切り換えるスライド部材、前記脱水上部軸受と前記脱水下部軸受とを内包するケースとを備え、前記ケースへの取り付け部を設けた金属部材を内包するように前記スライド部材の上部突起部に係合する固定側突起部を樹脂成形した固定側係合部材を設け、前記固定側係合部材は前記金属部材にて前記保持部材を介して前記ケースに取り付ける構成としたものである。
【０００８】
これにより、洗濯への切り換え時や、洗濯運転時の衝突音等の異常音を減少させ低騒音化を実現することができる。
【０００９】
【発明の実施の形態】
請求項１に記載の発明は、洗濯兼脱水槽を回転させる中空の脱水軸と、前記脱水軸を軸支する脱水上部軸受と脱水下部軸受と、前記脱水軸と略同軸上に配設されるとともに前記洗濯兼脱水槽内に配設した撹拌翼を回転させる洗濯軸と、前記脱水軸と洗濯軸を回転させる駆動モータと、前記駆動モータを保持する保持部材と、上部に上部突起部を有し上下の滑動により前記駆動モータの回転の伝達を脱水軸、洗濯軸のいずれかに切り換えるスライド部材と、前記脱水上部軸受と前記脱水下部軸受とを内包するケースとを備え、前記ケースへの取り付け部を設けた金属部材を内包するように前記スライド部材の上部突起部に係合する固定側突起部を樹脂成形した固定側係合部材を設け、前記固定側係合部材は前記金属部材にて前記保持部材を介して前記ケースに取り付ける構成としたものであり、強度を確保するとともに、洗濯への切り換え時の衝突音や、洗濯運転時における撹拌翼の反転時の衝突音を大幅に減少させることができる。
【００１０】
請求項２に記載の発明は、請求項１に記載の発明において、固定側係合部材の下部には第１の略円筒状リブを設け、固定側突起部は前記第１の略円筒状リブから外方向に放射状に延設し、スライド部材には上部突起部が前記放射状の固定側突起部に係合するように放射状に設けられ、前記放射状の上部突起部の外周には前記放射状の上部突起部に一体に第２の略円筒状リブを設けたものであり、洗濯への切り換え時の衝突音や、洗濯運転時における撹拌翼の反転時の衝突音を大幅に減少させることができるとともに、かみ合い用のそれぞれの突起部の強度向上を図ることができる。
【００１１】
請求項３に記載の発明は、請求項１又は２に記載の発明において、回転によりスライド部材を上下に滑動させるクラッチレバーと、前記クラッチレバーを回転動作させるレバー駆動手段とを備え、固定側係合部材には、前記クラッチレバーの軸部を回転自在に支持する回転保持部が一体に設けられたものであり、洗濯への切り換え時の衝突音や、洗濯運転時における撹拌翼の反転時の衝突音を大幅に減少させることができ、かみ合い用のそれぞれの突起部の強度向上を図ることができるとともに、部品点数の低減を図り組立性を向上することができる。
【００１２】
【実施例】
以下本発明の実施例について、図面を参照しながら説明する。
【００１３】
（実施例１）
図１は本発明の第１の実施例の洗濯機の全体構成を示す図であり、図２、３は本実施例の洗濯機の駆動部構成を示す図である。
【００１４】
図１において、洗濯機本体２０は、内部に脱水振動を防振するように、サスペンション２１によって懸架された水受け槽２２を設け、水受け槽２２内に洗濯兼脱水槽２３を回転自在に配設し、この洗濯兼脱水槽２３の内底部に洗濯物を撹拌する撹拌翼２４を回転自在に配設している。水受け槽２２の底部には駆動部２５を設けている。
【００１５】
図１および図２において、駆動部２５には、中空の脱水軸２６を設け、脱水軸２６は、駆動部２５の上方中央部に設けた脱水上部軸受２７と中間中央部近傍に設けた脱水下部軸受２８により軸支されている。脱水軸２６の上端側は、洗濯兼脱水槽２３の底部に固定され、洗濯兼脱水槽２３と連結している。脱水軸２６の上部側中空部２６ａには、脱水軸２６と略同軸上となるように洗濯軸２９を設け、脱水軸２６の上部側中空部２６ａ内に設けた洗濯軸受３０により軸支されている。洗濯軸２９の上端側は、撹拌翼２４の底部に固定され、撹拌翼２４と連結している。一方、洗濯軸２９の下端側は、脱水軸２６内の中間中空部２６ｂに設けた減速機構３１の出力側に連結している。
【００１６】
減速機構３１の入力側には、入力軸３２の上端を接続し、入力軸３２は、脱水軸２６の下部側中空部２６ｃ内に設けた入力軸受３３により軸支されている。
【００１７】
洗濯軸２９、入力軸３２および減速機構３１等を内包する脱水軸２６、および脱水上部軸受２７と脱水下部軸受２８はケース３４により内包され、このケース３４は水受け槽２２の底部に固定されている。
【００１８】
３５は脱水軸２７および入力軸３２を回転させる駆動モータであり、入力軸３２の下部に駆動モータ３５のロータ３５ａが連結されている。駆動モータ３５内にはロータ３５ａの外周に設けた磁石３５ｂと対峙するように、ステータ３５ｃが配されている。
【００１９】
脱水軸２７の下部にはその外周部にスプライン等の形状を有する樹脂製のスライド部３６を設けている。スライド部３６には、そのスプライン等の形状に対応した内周形状を有するスライド部材３７を上下摺動自在に設けている。そのスライド部材３７は、付勢バネ３８により下方向に押しつけられ、スライド部材３７の下部に設けた下部突起部３７ａをロータ３５ａに設けた開口部３５ｄに係合させて、ロータ３５ａの回転を脱水軸２７に伝達できるよう構成している。なお、洗濯機の電源がＯＦＦ時には、この状態を維持するものである。
【００２０】
水受け槽２２の底部には、ギアードモータ又はソレノイドなどのレバー駆動手段３９が取り付けられている。
【００２１】
レバー駆動手段３９の駆動手段接続部３９ａには、他端をクラッチレバー４０のクラッチレバー接続部４０ａに接続した媒介部材４１の一端を接続している。
【００２２】
クラッチレバー４０は、一端にスライド部材３７を下方から支持する略Ｕ字形状のスライド部材支持部４０ｂを有し、他端には前記のクラッチレバー接続部４０ａを有し、かつ、駆動モータ３５のステータ３５ｃを保持する保持部材４２に設けた固定側係合部材４３の回転保持部４３ａに、回転自在に支持される軸部４０ｃを有している。
【００２３】
固定側係合部材４３の保持部材４２への取り付けは、ねじ４４により、固定側係合部材４３と保持部材４２を一体にケース３４に固定している。
【００２４】
固定側係合部材４３は、金属部材４３ｂを底部に穴部を有するように略凹状にプレス加工し、その外側略平面部を保持部材４２へ取り付け部とし、金属部材４３ｂを内包するように樹脂成形にて固定側突起部４３ｃを形成している。
【００２５】
駆動モータ３５の回転が入力軸３２への伝達時には、レバー駆動手段３９の駆動手段接続部３９ａを回転させ、図２の位置から図３の位置に移動させることにより、クラッチレバー４０は、媒介部材４１を介して、軸部４０ｃを中心に時計方向に回転する。この回転により、スライド部材支持部４０ｂが上方向に回転移動し、付勢バネ３８の下方向への付勢力に抗して、スライド部材３７を上方向に持ち上げる。これにより、図３に示すようにスライド部材３７の下部に設けた下部突起部３７ａは、ロータ３５ａに設けた開口部３５ｄとの係合から外れ、ロータ３５ａの回転は、脱水軸２７には非伝達となり、入力軸３２にのみ伝達させるよう構成している。それと同時にスライド部材３７の上部に設けた上部突起部３７ｂと、固定側係合部材４３に設けた固定側突起部４３ｃが係合することにより、脱水軸２６を固定し、洗濯兼脱水槽２３の共回りを防止する構成としている。
【００２６】
なお、クラッチレバー接続部４０ａは、駆動モータ３５から外方へ突出しており、図２に示すようにクラッチレバー４０が反時計方向に回転すると、ケース３４の側壁に当接し、その位置で回転が規制される。
【００２７】
クラッチレバー４０は、一端にスライド部材３７を下方から支持する略Ｕ字形状のスライド部材支持部４０ｂを有し、他端には前記のクラッチレバー接続部４０ａを有し、かつ、駆動モータ３５のステータ３５ｃを保持する保持部材４２に設けた固定側係合部材４３の穴部４３ａに、回転自在に支持される軸部４０ｃを有している。
【００２８】
図４に示すように、金属部材４３ｂを内包する樹脂成形にて形成された固定側突起部４３ｃの内径方向部には、第１の略円筒状リブ４３ｄを設け、固定側突起部４３ｃは第１の略円筒状リブ４３ｄから外方向に放射線状に延設している。４３ｅは、保持部材４２への取り付けの際の貫通穴である。
【００２９】
図５に示すように、スライド部材３７の上部に設けた上部突起部３７ｂは、固定側突起部４３ｃと係合するように放射線状に設けられている。上部突起部３７ｂの外周には、その上部突起部３７ｂに一体に第２の略円筒状リブ３７ｃを設けている。
【００３０】
このような構成において、動作について説明する。
【００３１】
まず、撹拌翼２４の回転による洗濯、すすぎの行程を実行する場合、すなわち駆動モータ３５の回転が入力軸３２への伝達時には、レバー駆動手段３９の駆動手段接続部３９ａを回転させ、図２の位置から図３の位置に移動させることにより、クラッチレバー４０は、媒介部材４１を介して、軸部４０ｃを中心に時計方向に回転する。この回転により、スライド部材支持部４０ｂが上方向に回転移動し、付勢バネ３８の下方向への付勢力に抗して、スライド部材３７を上方向に持ち上げる。これにより、図３に示すようにスライド部材３７の下部に設けた下部突起部３７ａは、ロータ３５ａに設けた開口部３５ｄとの係合から外れ、ロータ３５ａの回転は、脱水軸２７には非伝達となり、入力軸３２にのみ伝達され、撹拌翼２４が回転する。それと同時にスライド部材３７の上部に設けた上部突起部３７ｂと、固定側係合部材４３に設けた固定側突起部４３ｃが係合し、洗濯兼脱水槽２３の共回りを防止する。
【００３２】
以上のように、固定側係合部材４３は、金属部材４３ｂを内包するように樹脂成形にて固定側突起部４３ｃを形成しているので、金属部材４３ｂにて強度を確保するとともに、樹脂製のスライド部材３７の上部に設けた上部突起部３７ｂと、固定側係合部材４３に設けた樹脂製の固定側突起部４３ｃが係合する際の衝突音や、洗濯時の撹拌翼の反転の際の衝突音は、樹脂同士の衝突であるため、金属の場合と比べ、大幅に低減することができる。
【００３３】
また、固定側突起部４３ｃには第１の略円筒状リブ４３ｄを、上部突起部３７ｂには第２の略円筒状リブ３７ｃをそれぞれ一体に設けているため、それぞれの突起部の強度を向上させることができ、信頼性の向上を図ることができる。
【００３４】
さらに、クラッチレバー４０の軸部４０ｃを支持する回転保持部４３ａを固定側係合部材４３と一体に設けているので、部品点数の低減を図り組立性を向上することができる。
【００３５】
（実施例２）
つぎに、第２の実施例を図６を参照しながら説明する。なお、上記第１の実施例と同じ構成のものは同一符号を付して説明を省略する。
【００３６】
図６において、駆動モータ３５のステータ３５ｃを保持する保持部材４５には、スライド部材３７の上部に放射線状に設けた上部突起部３７ｂと係合するように、放射線状に固定側突起部４５ａが一体に設けられている。固定側突起部４５ａの内径方向部には、第３の略円筒状リブ４５ｂが、固定側突起部４５ａと一体に設けられている。
【００３７】
また、保持部材４５に一体に設けた固定側突起部４５ａの近傍内部には、補強材４６が内包されている。
【００３８】
クラッチレバー４０は、一端にスライド部材３７を下方から支持する略Ｕ字形状のスライド部材支持部４０ｂを有し、他端には前記のクラッチレバー接続部４０ａを有し、かつ、駆動モータ３５のステータ３５ｃを保持する保持部材４５に一体に設けた回転保持部４５ｃに、回転自在に支持される軸部４０ｃを有している。
【００３９】
以上の構成により、樹脂製のスライド部材３７の上部に設けた上部突起部３７ｂと、保持部材４５に一体に設けた固定側突起部４５ａが係合する際の衝突音や、洗濯時の撹拌翼の反転の際の衝突音は、樹脂同士の衝突であるため、金属の場合と比べ、大幅に低減することができる。また、固定側突起部４５ａを保持部材４５に一体に設けているので、固定側突起部を有する固定側係合部材を別部品として設ける必要がないため、部品点数の低減を図り組立性を向上することができる。
【００４０】
また、保持部材４５に一体に設けた固定側突起部４５ａの近傍内部には、補強材４６が内包されているため、固定側突起部４５ａの強度を向上させることができ、信頼性の向上を図ることができる。
【００４１】
さらに、クラッチレバー４０の軸部４０ｃを支持する回転保持部４５ｃを保持部材４５と一体に設けているので、部品点数の低減を図り組立性を向上することができる。
【００４２】
【発明の効果】
以上のように、請求項１に記載の発明によれば、洗濯兼脱水槽を回転させる中空の脱水軸と、前記脱水軸を軸支する脱水上部軸受と脱水下部軸受と、前記脱水軸と略同軸上に配設されるとともに前記洗濯兼脱水槽内に配設した撹拌翼を回転させる洗濯軸と、前記脱水軸と洗濯軸を回転させる駆動モータと、前記駆動モータを保持する保持部材と、上部に上部突起部を有し上下の滑動により前記駆動モータの回転の伝達を脱水軸、洗濯軸のいずれかに切り換えるスライド部材と、前記脱水上部軸受と前記脱水下部軸受とを内包するケースとを備え、前記ケースへの取り付け部を設けた金属部材を内包するように前記スライド部材の上部突起部に係合する固定側突起部を樹脂成形した固定側係合部材を設け、前記固定側係合部材は前記金属部材にて前記保持部材を介して前記ケースに取り付ける構成としたから、強度を確保するとともに、洗濯への切り換え時の衝突音や、洗濯運転時における撹拌翼の反転時の衝突音を大幅に減少させることができ、品質の向上を実現できるものである。
【００４３】
また、請求項２に記載の発明によれば、請求項１に記載の発明において、固定側係合部材の下部には第１の略円筒状リブを設け、固定側突起部は前記第１の略円筒状リブから外方向に放射状に延設し、スライド部材には上部突起部が前記放射状の固定側突起部に係合するように放射状に設けられ、前記放射状の上部突起部の外周には前記放射状の上部突起部に一体に第２の略円筒状リブを設けたから、洗濯への切り換え時の衝突音や、洗濯運転時における撹拌翼の反転時の衝突音を大幅に減少させることができるとともに、かみ合い用のそれぞれの突起部の強度向上を図ることができ、信頼性、品質の向上を実現できるものである。
【００４４】
また、請求項３に記載の発明によれば、請求項１又は２に記載の発明において、回転によりスライド部材を上下に滑動させるクラッチレバーと、前記クラッチレバーを回転動作させるレバー駆動手段とを備え、固定側係合部材には、前記クラッチレバーの軸部を回転自在に支持する回転保持部が一体に設けられたから、洗濯への切り換え時の衝突音や、洗濯運転時における撹拌翼の反転時の衝突音を大幅に減少させることができ、かみ合い用のそれぞれの突起部の強度向上を図り、信頼性、品質の向上を実現できることができるとともに、部品点数の低減を図り組立性を向上することができる。
【図面の簡単な説明】
【図１】  本発明の第１の実施例における洗濯機の断面図
【図２】  本発明の第１の実施例における洗濯機の要部断面図
【図３】  本発明の第１の実施例における洗濯機の要部断面図
【図４】  （ａ）本発明の第１の実施例における洗濯機の要部断面図
（ｂ）本発明の第１の実施例における洗濯機の要部底面図
【図５】  （ａ）本発明の第１の実施例における洗濯機の要部平面図
（ｂ）本発明の第１の実施例における洗濯機の要部断面図
【図６】  本発明の第２の実施例における洗濯機の要部断面図
【図７】  従来の洗濯機の断面図
【符号の説明】
２３  洗濯兼脱水槽
２４  撹拌翼
２６  脱水軸
２９  洗濯軸
３５  駆動モータ
３７  スライド部材
３７ｂ  上部突起部
４２  保持部材
４３  固定側係合部材
４３ｂ  金属部材（補強部材）
４３ｃ  固定側突起部
【図１】
0003669298.tif 000002
【図２】
0003669298.tif 000003
【図３】
0003669298.tif 000004
【図４】
0003669298.tif 000005
【図５】
0003669298.tif 000006
【図６】
0003669298.tif 000007
【図７】
0003669298.tif 000008